(57)【要約】【課題】ホッパの他に専用の床排水具を設けなくても、床面に飛散したドレン水をも排出し得るようにした床排水兼用ホッパを提供する。【解決手段】ドレン管１１からのドレン水を受けて排水するようにしたホッパ本体２と、ホッパ本体２の管部６を包囲すると共にシャフト或は機械室８の床面に飛散したドレン水が流入して排水されるようにした筒状の床排水具３を備える。【選択図】　　　　図１
2004076333.tif 000002
【特許請求の範囲】
【請求項１】
ドレン管からのドレン水を受けて排水するようにしたホッパ本体と、該ホッパ本体の管部を包囲すると共にシャフト或は機械室の床面に飛散したドレン水が流入して排水されるようにした床排水具を備えたことを特徴とする床排水兼用ホッパ。
【発明の詳細な説明】
【０００１】
【発明の属する技術分野】
本発明は床排水兼用ホッパに関するものである。
【０００２】
【従来の技術】
空気調和設備、給排水設備が設置されるシャフトや機械室には、主に熱交換器から排出されるドレン水若しくは量水器のメンテナンス時に発生する配管残水が変じたドレン水を外部に排出するために従来からホッパが使用されている。
【０００３】
従来のホッパの一例は図５に示されており、図中、ａはシャフト或は機械室ｂに設置されたホッパである。ホッパａは円筒状部ｃと、円筒状部ｃの下端に一体的に形成された逆截頭円錐状部ｄと、逆截頭円錐状部ｄの下端に一体的に形成されると共に中途部に臭気侵入防止の封水部ｅが設けられた管部ｆとを備えており、円筒状部ｃと逆截頭円錐状部ｄとはシャフト或は機械室ｂ内に突出しているが、管部ｆはシャフト或は機械室ｂの床下に埋設されている。又、ｇは例えば熱交換器や量水器のドレン管である。
【０００４】
ドレン管ｇから排出されたドレン水は流下してホッパａ内に溜り、管部ｆを経て外部へ排出される。この場合、ドレン水はホッパａの円筒状部ｃや逆截頭円錐状部ｄの内側面にぶつかり、跳ね返ってホッパａ外に飛散し、シャフト或は機械室ｂの床面に溜まることがある。
【０００５】
そこで、ドレン水がシャフト或は機械室ｂの床面に飛散した場合には、直ちに排水を行い得るよう、図６に示すように、ホッパａの他に床排水具ｈを設けることが考えられる。床排水具ｈは円筒状部ｉと、円筒状部ｉの下端に一体的に形成された逆截頭円錐状部ｊと、逆截頭円錐状部ｊの下端に一体的に形成されると共に中途部に臭気侵入防止の封水部ｋが設けられた管部ｌとを備えており、円筒状部ｉの上端がシャフト或は機械室ｂ内に向けて開口するよう、シャフト或は機械室ｂの床下に埋設されている。又、円筒状部ｉの上端は床上面と同一レベルになっている。
【０００６】
斯かる床排水具ｈを設けた場合には、ホッパａからシャフト或は機械室ｂの床面に飛散したドレン水は、床面から床排水具ｈ内に流入し、管部ｌを経て外部に排出される。このため、シャフト或は機械室ｂ内にはドレン水が溜ることはなく、シャフト或は機械室ｂ内の環境を良好に保持することができる。
【０００７】
【発明が解決しようとする課題】
しかしながら、図６に示す場合には、ホッパａの他に床排水具ｈ及び配管を設ける必要があって設備費が高価となり、又、床排水具ｈ内には常時ドレン水が溜ってはいないため、封水部ｋの封水が切れることがある。
【０００８】
本発明は、斯かる実情に鑑み、ホッパの他に専用の床排水具を設けなくても、床面に飛散したドレン水をも排出し得るようにした床排水兼用ホッパを提供すること目的としてなしたものである。
【０００９】
【課題を解決するための手段】
本発明の床排水兼用ホッパは、ドレン管からのドレン水を受けて排水するようにしたホッパ本体と、該ホッパ本体の管部を包囲すると共にシャフト或は機械室の床面に飛散したドレン水が流入して排水されるようにした床排水具を備えたものである。
【００１０】
本発明によれば、シャフト或は機械室の床面に飛散したドレン水をも直ちに排水させることができ、シャフト或は機械室内にドレン水が溜ることがない。又、ドレン管からのドレン水により封水部の封水が切れることがない。従って、設備の信頼性が向上する。更に余分の配管が不要であるため価格も安価にできる。
【００１１】
【発明の実施の形態】
以下、本発明の実施の形態を図示例と共に説明する。
図１〜図４は本発明を実施する形態の一例である。
図中、１は鉄製或は樹脂製の床排水兼用ホッパで、床排水兼用ホッパ１は、ホッパ本体２と床排水具３を備えている。而して、ホッパ本体２は下端が側部から見て斜めに切断された形状の円筒状部４と、円筒状部４の下端に斜めの切断端部に沿い一体的に形成された傾斜面部５と、傾斜面部５の下端に位置するよう傾斜面部５及び円筒状部４の下端に一体的に形成された管部６とを備え、床排水具３は管部６を包囲するよう円筒状に形成されている。
【００１２】
床排水具３の径方向一側の内周と管部６外周との間には空隙７が形成されている。又、床排水具３の径方向他側の内周と管部６外周との間には空隙が形成されておらず、空隙のない側で床排水具３は管部６の外周に接続されている。
【００１３】
床排水兼用ホッパ１をシャフト或は機械室８に設置した場合には、床排水具３はシャフト或は機械室８に向けて開口すると共に、その上端はシャフト或は機械室８の床面と同一となるよう床下に埋設され、ホッパ本体２の管部６の上端側の一部及び傾斜面部５並びに円筒状部４はシャフト或は機械室８の床面から上方へ突出している。又、床排水具３の下端には、中途部に臭気侵入防止の封水部９が設けられた配管１０が接続されている。なお、図１中、１１は床排水兼用ホッパ１の上方に設けられたドレン管である。
【００１４】
次に、上記図示例の作動を説明する。
ドレン管１１から排出されたドレン水は流下してホッパ本体２内に溜り、管部６、配管１０を経て外部へ排出される。この場合、ドレン水はホッパ本体２の傾斜面部５や円筒状部４の内側面にぶつかり、跳ね返ってホッパ本体２外に飛散し、シャフト或は機械室８の床面に溜まることがある。
【００１５】
ドレン水がシャフト或は機械室８の床面に飛散して溜った場合には、ドレン水は床面を流れて空隙７から床排水具３に流入し、ホッパ本体２からのドレン水と共に配管１０を経て外部に排出される。
【００１６】
本図示例によれば、床排水兼用ホッパ１を設けているため、床面に飛散したドレン水をも直ちに排水させることができ、シャフト或は機械室８内にドレン水が溜ることがない。又、ドレン管１１からのドレン水により封水部９の封水が切れることがない。従って、以上のことから設備の信頼性が向上する。更に、余分な配管が不要であるため、価格を安価にすることができる。
【００１７】
なお、本発明の床排水兼用ホッパは、上述の図示例にのみ限定されるものではなく、本発明の要旨を逸脱しない範囲内において種々変更を加え得ることは勿論である。
【００１８】
【発明の効果】
以上、説明したように本発明の床排水兼用ホッパによれば、下記のごとき種々の優れた効果を奏し得る。
Ｉ）シャフト或は機械室の床面に飛散したドレン水をも直ちに排水させることができ、シャフト或は機械室内にドレン水が溜ることがない。
ＩＩ）又、ドレン管からのドレン水により封水部の封水が切れることがない。
ＩＩＩ）従って、以上のことから設備の信頼性が向上する。
ＩＶ）更に、余分な配管が不要であるため、価格を安価にすることができる。
【図面の簡単な説明】
【図１】本発明の床排水兼用ホッパの実施の形態の一例の側断面図である。
【図２】図１のＩＩ−ＩＩ方向矢視図である。
【図３】図２のＩＩＩ−ＩＩＩ方向矢視図である。
【図４】図２のＩＶ−ＩＶ方向矢視図である。
【図５】従来のホッパの一例の側断面図である。
【図６】床排水を考慮した場合に一般的に考えられるホッパと床排水具を並置した状態を示す側断面図である。
【符号の説明】
１　　床排水兼用ホッパ
２　　ホッパ本体
３　　床排水具
８　　シャフト或は機械室
１１　　ドレン管
【図１】
2004076333.tif 000003
【図２】
2004076333.tif 000004
【図３】
2004076333.tif 000005
【図４】
2004076333.tif 000006
【図５】
2004076333.tif 000007
【図６】
2004076333.tif 000008